(57)【特許請求の範囲】
【請求項１】
表示装置の画面上に表示された画像に基づいて、当該画像中の出力すべき領域を指定する画像データ処理方法であって、
通常の画像に関する第１のレイヤを表示するステップと、
出力すべき領域の指定を示すコマンドに応答して、その内部が出力される画像の領域であることを示す枠を含む第２のレイヤを生成するステップと、
前記第２のレイヤを、前記第１のレイヤに重ね合わせて表示するステップと、
前記第２のレイヤは表示装置の画面上で移動させず、領域の移動を示すコマンドに応答して、前記第１のレイヤを移動させ、移動後に、第２のレイヤを第１のレイヤに重ねて再表示するステップとを備え、
前記第２のレイヤを生成するステップは、その外枠が印刷紙面の外枠に対応し、その内枠の内部が実際に画像が印刷される領域に対応し、かつ、当該外枠と内枠との間のマスク部が、印刷紙面の余白に対応し、前記外枠の外部および内枠の内部が、重ねあわされる第１のレイヤの画像を透過させ、前記外枠と内枠との間のマスク部が、前記重ねあわされる第１のレイヤの画像を透過させないような第２のレイヤを生成するステップを含むことを特徴とする画像データ処理方法。
【請求項２】
表示装置の画面上に表示された画像に基づいて、当該画像中の出力すべき領域を指定する画像データ処理方法であって、
通常の画像に関する第１のレイヤを表示するステップと、
出力すべき領域の指定を示すコマンドに応答して、その内部が出力される画像の領域であることを示す枠を含む第２のレイヤを生成するステップと、
前記第２のレイヤを、第１のレイヤに重ね合わせて表示するステップと、
画像の縮尺変更を示すコマンドに応答して、前記第１のレイヤの画像を、指定された縮尺のものに変更させ、当該変更後に、第２のレイヤを第１のレイヤに重ねて再表示する縮尺変更ステップとを備え、
前記第２のレイヤを生成するステップは、その外枠が印刷紙面の外枠に対応し、その内枠の内部が実際に画像が印刷される領域に対応し、かつ、当該外枠と内枠との間のマスク部が、印刷紙面の余白に対応し、前記外枠の外部および内枠の内部が、重ねあわされる第１のレイヤの画像を透過させ、前記外枠と内枠との間のマスク部が、前記重ねあわされる第１のレイヤの画像を透過させないような第２のレイヤを生成するステップを含むことを特徴とする画像データ処理方法。
【請求項３】
前記縮尺変更ステップは、表示装置の画面上で、前記第２のレイヤおよび第１のレイヤの中心位置を移動させないように実行されることを特徴とする請求項２に記載の画像データ処理方法。
【請求項４】
表示装置の画面上に表示された画像に基づいて、当該画像中の出力すべき領域を指定するために、コンピュータを動作させる画像データ処理プログラムであって、
通常の画像に関する第１のレイヤを表示するステップと、
出力すべき領域の指定を示すコマンドに応答して、その内部が出力される画像の領域であることを示す枠を含む第２のレイヤを生成するステップと、
前記第２のレイヤを、前記第１のレイヤに重ね合わせて表示するステップと、
前記第２のレイヤは表示装置の画面上で移動させず、領域の移動を示すコマンドに応答して、前記第１のレイヤを移動させ、移動後に、第２のレイヤを第１のレイヤに重ねて再表示するステップとを、前記コンピュータに実行させ、
前記第２のレイヤを生成するステップにおいて、その外枠が印刷紙面の外枠に対応し、その内枠の内部が実際に画像が印刷される領域に対応し、かつ、当該外枠と内枠との間のマスク部が、印刷紙面の余白に対応し、前記外枠の外部および内枠の内部が、重ねあわされる第１のレイヤの画像を透過させ、前記外枠と内枠との間のマスク部が、前記重ねあわされる第１のレイヤの画像を透過させないような第２のレイヤを生成するステップを、前記コンピュータに実行させることを特徴とするプログラム。
【請求項５】
表示装置の画面上に表示された画像に基づいて、当該画像中の出力すべき領域を指定するために、コンピュータを動作させる画像データ処理プログラムであって、
通常の画像に関する第１のレイヤを表示するステップと、
出力すべき領域の指定を示すコマンドに応答して、その内部が出力される画像の領域であることを示す枠を含む第２のレイヤを生成するステップと、
前記第２のレイヤを、第１のレイヤに重ね合わせて表示するステップと、
画像の縮尺変更を示すコマンドに応答して、前記第１のレイヤの画像を、指定された縮尺のものに変更させ、当該変更後に、第２のレイヤを第１のレイヤに重ねて再表示する縮尺変更ステップとを、前記コンピュータに実行させ、
前記第２のレイヤを生成するステップにおいて、
その外枠が印刷紙面の外枠に対応し、その内枠の内部が実際に画像が印刷される領域に対応し、かつ、当該外枠と内枠との間のマスク部が、印刷紙面の余白に対応し、前記外枠の外部および内枠の内部が、重ねあわされる第１のレイヤの画像を透過させ、前記外枠と内枠との間のマスク部が、前記重ねあわされる第１のレイヤの画像を透過させないような第２のレイヤを生成するステップを、前記コンピュータに実行させることを特徴とするプログラム。
【請求項６】
前記縮尺変更ステップにおいて、表示装置の画面上で、前記第２のレイヤおよび第１のレイヤの中心位置を移動させないように、前記コンピュータを動作させることを特徴とする請求項５に記載のプログラム。
【発明の詳細な説明】
【０００１】
【発明の属する技術分野】
本発明は、コンピュータの表示装置に表示される画像中の領域を指定し、当該範囲を出力する方法に関する。
【０００２】
【従来の技術】
従来、地図データ表示システムでは、ＣＤ−ＲＯＭなどに収容された地図データを、コンピュータに読み出し、コンピュータの表示装置の画面上に地図画像を表示していた。ユーザが、表示された地図画像中のある領域を印刷したいときには、地図画像が表示されている画面上の２点、例えば、左上の点から右下の点を、マウス等を利用してクリックすることで、地図中の領域を指定し、これら２点により画定された矩形部分を印刷範囲に指定していた。ユーザのマウス等の操作により指定が終了したことが地図データ表示システムに伝達されると、システムは、別ウィンドウのプレビュー画面を表示し、実際に印刷紙面においてどのように指定された領域が現れるかを、ユーザに示していた。ユーザがプレビュー画面中の所定のボタン（たとえば、「印刷」ボタン）を押すことで、プリンタが起動され、プレビュー画面に表されたような紙面が印刷される
【０００３】
【発明が解決しようとする課題】
しかしながら、従来の地図データ表示システムでは、ユーザが、プレビュー画面を参照して、所望の印刷紙面ではないと感じた場合、たとえば、目標とする建物を中央に配置できなかった場合や所望の縮尺でなかった場合、プレビュー画面をいったん閉じて、再度、地図画像が表示されている画面上の２点を選択し、印刷範囲を指定しなければならなかった。また、画面上の２点を指定した状態で、所望の印刷範囲指定できなかった場合にも、再度、２点指定により印刷範囲を指定しなければならず、印刷範囲の指定開始から印刷までの手順が繁雑であるという問題点があった。
【０００４】
また、写真などの画像を処理するプログラムにおいても、画像の切り取り（切り抜き）範囲、印刷範囲、出力範囲などを指定する際にも、２点をクリックして領域を指定する手法やプレビュー画面にて範囲を確認することは、同様であり、手順が煩雑であるという問題点があった。
本発明は、画像中の所望の領域を容易に指定でき、かつ、容易に変更が可能な方法を提供することを目的とする。
【０００５】
【課題を解決するための手段】
本発明の目的は、表示装置の画面上に表示された画像に基づいて、当該画像中の出力すべき領域を指定する画像データ処理方法であって、通常の画像に関する第1のレイヤを表示するステップと、出力すべき領域の指定を示すコマンドに応答して、その内部が出力される画像の領域であることを示す枠を含む第２のレイヤを生成するステップと、前記第２のレイヤを、前記第１のレイヤに重ね合わせて表示するステップと、領域の移動を示すコマンドに応答して、前記第２のレイヤと第１のレイヤとを相対移動させ、移動後に、第２のレイヤを第１のレイヤに重ねて再表示するステップとを備えたことを特徴とする画像データ処理方法により達成される。
【０００６】
本発明によれば、第２のレイヤの枠が、いわゆるプレビュー画面として機能する。したがって、別のウィンドウを表示することなく、印刷など出力すべき領域を表示することが可能となる。また、たとえばユーザのカーソルキーの操作により、第１のレイヤと第２のレイヤとを相対移動して、再表示する。したがって、従来のように、いったんプレビュー画面を閉じ、或いは、矩形領域を再指定するなどの手順を省略でき、ユーザは、著しく簡単な操作で、出力すべき領域を移動することが可能となる。
好ましい実施態様においては、相対移動させるステップが、前記第２のレイヤを、表示装置の画面上で移動させないように実行される。
【０００７】
また、本発明の目的は、表示装置の画面上に表示された画像に基づいて、当該画像中の出力すべき領域を指定する画像データ処理方法であって、通常の画像に関する第1のレイヤを表示するステップと、出力すべき領域の指定を示すコマンドに応答して、その内部が出力される画像の領域であることを示す枠を含む第２のレイヤを生成するステップと、前記第２のレイヤを、第１のレイヤに重ね合わせて表示するステップと、画像の縮尺変更を示すコマンドに応答して、前記第１のレイヤの画像を、指定された縮尺のものに変更させ、当該変更後に、第２のレイヤを第１のレイヤに重ねて再表示するステップとを備えたことを特徴とする画像データ処理方法により達成される。
この発明によれば、ユーザがコマンド等を入力することにより、印刷など出力すべき領域の縮尺を変更することができる。ここでも、従来のような操作の必要なく、簡単に、印刷など出力すべき地図を所望の縮尺に変更することができる。
【０００８】
好ましい実施態様においては、縮尺を変更するステップが、表示装置の画面上で、前記第２のレイヤおよび第１のレイヤの中心位置を移動させないように実行される。
より好ましい実施態様においては、前記第２のレイヤを生成するステップが、その外枠が印刷紙面の外枠に対応し、その内枠の内部が実際に画像が印刷される領域に対応し、かつ、当該外枠と内枠との間のマスク部が、印刷紙面の余白に対応し、前記外枠の外部および内枠の内部が、重ねあわされる第１のレイヤの地図画像を透過させるような第２のレイヤを生成するステップを含む。ここでは、マスク部により印刷紙面中の余白が示され、ユーザは、実際に印刷されたときの状態を容易に把握することが可能である。なお、本明細書において、余白とは、選択された領域の画像が現れていない部分を示し、タイトル、ファイル名、作成日などが印刷されている部分を含む。
【０００９】
別の好ましい実施態様においては、前記第２のレイヤを生成するステップが、ほぼ線状の枠からなるマスク部の内部が、実際に画像が出力される領域に対応し、マスク部の外部および内部が、重ねあわされる第１のレイヤの画像を透過させるような第２のレイヤを生成するステップを含む。
【００１０】
さらに、本発明の目的は、表示装置の画面上に表示された画像に基づいて、当該画像中の出力すべき領域を指定するために、コンピュータを動作させる画像データ処理プログラムであって、通常の画像に関する第1のレイヤを表示するステップと、出力すべき領域の指定を示すコマンドに応答して、その内部が出力される画像の領域であることを示す枠を含む第２のレイヤを生成するステップと、前記第２のレイヤを、前記第１のレイヤに重ね合わせて表示するステップと、領域の移動を示すコマンドに応答して、前記第２のレイヤと第１のレイヤとを相対移動させ、移動後に、第２のレイヤを第１のレイヤに重ねて再表示するステップとを、前記コンピュータに実行させることを特徴とするプログラムによっても達成される。
【００１１】
また、本発明の目的は、表示装置の画面上に表示された画像に基づいて、当該画像中の出力すべき領域を指定するために、コンピュータを動作させる画像データ処理プログラムであって、通常の画像に関する第1のレイヤを表示するステップと、出力すべき領域の指定を示すコマンドに応答して、その内部が出力される画像の領域であることを示す枠を含む第２のレイヤを生成するステップと、前記第２のレイヤを、第１のレイヤに重ね合わせて表示するステップと、画像の縮尺変更を示すコマンドに応答して、前記第１のレイヤの画像を、指定された縮尺のものに変更させ、当該変更後に、第２のレイヤを第１のレイヤに重ねて再表示するステップとを、前記コンピュータに実行させることを特徴とするプログラムによっても達成される。
なお、上記画像には、地図画像、写真などが含まれる。
【００１２】
【発明の実施の形態】
以下、添付図面を参照して、本発明の実施の形態につき説明を加える。図１は、本発明の実施の形態にかかる地図データ表示システム１０のハードウェア構成を示す図である。なお、地図データ表示システム１０は、パーソナルコンピュータ等により実現することができる。図１に示すように、地図データ表示システム１０は、ＣＰＵ１２と、ワークエリア等として利用されるＲＡＭ１４と、プログラム等を記憶したＲＯM１６と、ＣＤ−ＲＯＭの読み出しを制御するＣＤ−ＲＯＭドライバ１８と、ハードディスク装置２０と、キーボードやマウスなどの入力装置２２と、ＣＲＴなどの表示装置２４と、プリンタ２６とを備えている。
【００１３】
本実施の形態においては、地図データ表示システム１０は、地図データを収容したＣＤ−ＲＯＭをＣＤ−ＲＯＭドライバ１８が読み出し、或いは、インターネットを利用して外部から地図データをダウンロードするように構成されている。また、地図データ表示システム１０を作動させるためのソフトウェアは、ＣＤ−ＲＯＭから読み出され、ハードディスク装置２０に記憶されていても良いし、或いは、インターネットなどを利用して外部からダウンロードしたものであっても良い。
【００１４】
本実施の形態において、ユーザは、パーソナルコンピュータを用いて、地図データ表示ソフトウェアを起動して、パーソナルコンピュータを地図データ表示システム１０として作動させる。地図データ表示システム１０は、ユーザの入力装置２２の操作にしたがって、表示装置２４の画面上に所望の領域の地図画像を表示する。たとえば、表示装置２４の画面上に表示される地図として、ベクター地図、ラスター地図などのデジタル地図を使用することができる。また、ユーザは、入力装置２２を操作して、画面上に表示すべき地図の領域を移動し、或いは、地図の縮尺を所望のように変更することもできる。
【００１５】
図２は、ユーザが地図中の所望の領域を印刷する際に実行される処理を示すフローチャートである。この処理は、地図データ表示システム１０の作動中に、入力装置２２を操作して、図３に示すダイヤログボックスを開き、地図出力ボタンをオンすることにより開始される（ステップ２０１）。
図３に示すように、ダイヤログボックス３００には、表示装置２４の画面上に表示すべき地図の種別を選択する表示選択部３０１、表示選択部３０１にて選択された地図を更新する表示更新ボタン３０２、地図を印刷する地図出力ボタン３０３などが設けられている。
【００１６】
ユーザは、ダイヤログボックス３００の地図表示部３０１から所望の地図の種別を選択し、表示更新ボタン３０２を押し、表示装置２４の画面上に選択された種別の地図画像を表示させる。
【００１７】
なお、本実施の形態において、ユーザはあらかじめ、地図を印刷する場合に際しての用紙サイズおよび用紙の方向を設定しておく必要がある。たとえば、ユーザは、用紙サイズとして、Ａ４（ＪIＳ規格Ａ列４番）、Ｂ５（ＪIＳ規格Ｂ列５番）などの項目から所望のものを選択し、また、用紙の方向として、横方向或いは縦方向のいずれかを選択する。
【００１８】
ユーザが、入力装置２２を操作して、地図出力ボタン３０３を押すと（ステップ２０１）、図４に示すように表示装置２４の画面上に、マスクレイヤ４０１が地図レイヤ４０２に重ねられた状態の地図画像４００が表示される（ステップ２０２）。後述するマスク部４０３が、表示装置２４の画面上、ほぼ中央に配置されるように、マスクレイヤ４０１が地図レイヤ４０２に重ねられるのが望ましい。図５は、本実施の形態にかかるレイヤ構成の一例を示す図である。
【００１９】
図５に示すように、地図出力ボタンが押された後の地図画像４００においては、地図レイヤ４０２の上層に、マスクレイヤ４０１が重ねられる。マスクレイヤ４０１には、マスク部４０３と空間部４０４とが設けられており、空間部４０４は、その下層の領域の地図画像を透過させるようになっている。また、マスク部４０３の外枠４１０は、設定された用紙サイズおよび用紙の方向に基づいた実際の印刷紙面の外枠に対応し、かつ、内枠４１１の内側（つまり、空間部４０４）が、印刷紙面において実際に地図が印刷される領域となる。したがって、外枠４１０にて画定される領域が、いわゆるプレビュー画面に相当する。したがって、以下、場合によって、マスク部４０３の外枠４１０の内側の領域を「プレビュー画面」とも称する。なお、外枠４１０の外側も、その下層の領域の地図画像を透過させることは言うまでもない。
【００２０】
また、表示装置２４の画面上には、地図画像とともに、図６に示すような、プレビュー画像を調整するための、地図出力ダイヤログボックス６００が表示される。ユーザは、地図出力ダイヤログボックス６００を用いて、表示装置２４の画面上に表示されるマスクレイヤ４０１のマスク部４０３と地図レイヤ４０２とを相対移動することができる。また、地図レイヤ４０２中の地図の縮尺を変更することも可能である（ステップ２０３）。
【００２１】
図７および図８を参照して、マスクレイヤと地図レイヤとの間の相対移動処理につき、より詳細に説明する。ユーザは、図８に示すような画像８００を参照しつつ、入力装置２２を操作し（ステップ７０１）、必要な場所のプレビュー画面中の印刷領域（空間部４０４）に、所望の地図中の領域が入るように、地図出力ダイヤログボックス６００中の微調整用十字カーソル６０３を構成するボタン６１１〜６１４の何れかを押す。これに応答して、地図表示システム１０は、マスク部４０３と地図レイヤ４０２とを相対移動させ（ステップ７０２）、マスクレイヤ４０１と地図レイヤ４０２とを重ねた画像を再表示する（ステップ７０３）。
【００２２】
本実施の形態において、表示装置２４の画面上に表示される地図画像において、マスクレイヤ４０１を固定レイヤとし、地図レイヤ４０２が、図８に示す矢印８０１〜８０４の方向に順次相対移動し、移動後の状態が再表示されるようになっている。たとえば、微調整用十字カーソル６０３のうち、ボタン６１１が押されると、地図レイヤが所定量だけ矢印８０２方向に移動し、また、ボタン６１３が押されると、地図レイヤが所定量だけ矢印８０４方向に移動する。つまり、微調整用十字カーソル中のボタンが示す向きと逆方向に、地図レイヤが移動するようになっている。たとえば、ユーザが目標となる建物を印刷紙面の中心に配置したかったにもかかわらず、建物の位置がプレビュー画像の中心から逸脱した場合であっても、ユーザは微調整十字カーソル６０３中の所定のボタンを押すことで、所望の位置に建物があるようなプレビュー画面を得ることができる。
【００２３】
また、本実施の形態においては、プレビュー画面が表示された状態で、地図レイヤ４０２中の地図の縮尺を変更することもできる。図９および図１０を参照して、地図レイヤ中の地図の縮尺変更を詳細に説明する。ユーザは、入力装置２２を操作して、地図出力ダイヤログボックス６００の縮尺プルダウンメニュー６０１を押し、表示された縮尺から所望の縮尺を選択した後、更新ボタン６０２を押す。（ステップ９０１）。
本実施の形態において、縮尺プルダウンメニュー６０１に表示される縮尺には、通常、地図に使用される縮尺、たとえば、１／５００、１／２５００、１／５０００などが含まれる。これら縮尺の地図データは、予めＣＤ−ＲＯＭに収容されている。無論、ユーザの利用の利便を図るため、さらに細かい縮尺、或いは、より広い範囲の縮尺が設定できるように構成しても良い。
【００２４】
更新ボタン６０２のオンに応答して、地図データ表示システム１０は、地図レイヤ４０２の地図画像を、縮尺プルダウンメニュー６０１にて選択された縮尺の地図画像に交換（変更）する（ステップ９０２）。これにより、地図レイヤ４０２のみが変更されたような画像が再表示される（ステップ９０３）。図８および図１０を参照すると理解できるように、縮尺変更の前後で、マスクレイヤ４０１は変化しない。つまり、マスク部４０３は、表示装置２４の画面上で、同じ大きさおよび位置に配置され、背景となる地図レイヤ（符号４０２、１００２参照）のみが指定の縮尺のものに交換（変更）される。なお、ここで縮尺が変更された際にも、プレビュー画面の中心は変化しないのが望ましい。
【００２５】
ユーザは、上述した操作により、所望の領域および縮尺の地図が含まれるプレビュー画面４００を得た後に、入力装置２２を操作して、地図出力ダイヤログボックス６００の印刷ボタン６０４を押す（ステップ２０４）。これにより、プリンタ２６からプレビュー画面に対応する印刷紙面を有する用紙が出力される（ステップ２０５）。
【００２６】
本実施の形態においては、印刷紙面に相当するプレビュー画面を参照しつつ、印刷すべき領域や縮尺を変更し、最終的なプレビュー画面を決定することが可能となる。すなわち、本実施の形態によれば、地図中の領域の設定や縮尺の設定が所望のようにできなかった場合でも、地図上の２点による矩形領域の指定などの必要なく、著しく簡単な手順で、所望の領域および縮尺を設定することが可能となる。
【００２７】
また、本実施の形態によれば、マスク部４０３の外枠が、印刷紙面に対応する。また、内枠の内側の領域が、印刷紙面において実際に地図が印刷される領域となる。したがって、ユーザは、余白を含む実際の印刷紙面がどういったものかを把握しつつ、領域や縮尺を設定することができる。
次に、本発明の第２の実施の形態につき説明を加える。第２の実施の形態においては、マスクレイヤ１１０１は、第1の実施の形態のマスクレイヤ４０１と、マスク部が矩形の線状である点で相違する。
【００２８】
図１１は、第２の実施の形態にかかる地図データ表示システム１０におけるレイヤ構成を示す図である。図１１に示すように、表示装置２４の画面上に表示される地図画像１１００は、地図レイヤ１１０２の上に、マスクレイヤ１１０１が重ねられている。マスクレイヤ１１０１のマスク部の外枠には、印刷領域線１１０３が設けられており、印刷領域線１１０３の内側が印刷範囲となる。
【００２９】
ユーザは、表示装置２４の画面上に表示される印刷領域線１１０３の内側に、所望の地図中の領域を収めるように、入力装置を操作して、マスク部を地図レイヤと相対移動させる。また、地図レイヤ中の地図の縮尺を変更することもできる。これにより、所望の地図中の領域を印刷することができる。
このように、本発明においては、従来のプレビュー画面のような別ウィンドウを開くことなく、印刷範囲の変更や地図画像の縮尺の変更を実現できる。
また、本実施の形態においては、地図画像および印刷範囲が同一画面上に表示されるので、小さな表示装置でも表示でき、携帯端末等にも利用することが可能となる。
本発明は、以上の実施の形態に限定されることなく、特許請求の範囲に記載された発明の範囲内で、種々の変更が可能であり、それらも本発明の範囲内に包含されるものであることは言うまでもない。
【００３０】
たとえば、前記実施の形態においては、マスクレイヤを固定し、地図レイヤを移動したが、これに限定されるものではなく、マスクレイヤを移動するように構成しても良い。
また、前記実施の形態においては、地図データはＣＤ−ＲＯＭやインターネットを介して入手しているが、これに限定されるものではなく、ユーザが作成したデータを利用してもよい。
【００３１】
さらに、前記実施の形態においてはパーソナルコンピュータに、地図データ表示ソフトウェアをダウンロードし、これを利用するようになっている。しかしながら、これに限定されるものではなく、サーバが地図データおよび地図データ表示ソフトウェアを備え、インターネット等を介して、クライアントマシンが、地図出力のためのコマンドを与え、サーバが当該コマンドに応答して、マスクレイヤと地図レイヤとを相対移動させ、また、地図の縮尺を変更するように構成しても良い。
【００３２】
また、前記実施の形態においては、地図中の領域を指定し、当該領域を印刷するために本発明を利用したが、これに限定されず、指定された範囲を、地図ファイルや画像ファイルとして保存する際など、印刷以外の出力にも適用可能である。
【００３３】
さらに、前記実施の形態においては、画像として地図画像を利用しているが、これに限定されるものではなく、写真を含む任意の画像中の領域を指定する際に本発明を適用できることはいうまでもない。たとえば、集合写真などから所望の人物のみを切り出す場合や、いわゆるトリミングをする場合にも本発明は有効である。
なお、本明細書において、一つの手段の機能が、二つ以上の物理的手段により実現されても、若しくは、二つ以上の手段の機能が、一つの物理的手段により実現されてもよい。
【００３４】
【発明の効果】
本発明によれば、ユーザが必要とする画像を、画面上で印刷状態を確認しながら入手でき、また、印刷すべき画像中の領域や画像の縮尺も印刷状態を確認しながら調整することが可能となる。また、本発明によれば、画像の所望の領域を容易に指定でき、かつ、容易に変更が可能な方法を提供することが可能となる。
【図面の簡単な説明】
【図１】  図１は、本発明の実施の形態にかかる地図データ表示システムのハードウェア構成を示す図である。
【図２】  図２は、本実施の形態においてユーザが地図中の所望の領域を印刷する際に実行される処理を示すフローチャートである。
【図３】  図３は、本実施の形態にかかるダイヤログボックスの表示例である。
【図４】  図４は、本実施の形態にかかる地図データ表示システムの画面上に表示された地図画像の例を示す図である。
【図５】  図５は、本実施の形態にかかるレイヤ構成の一例を示す図である。
【図６】  図６は、本実施の形態にかかる地図データを調整するためのダイヤログボックスの表示例である。
【図７】  図７は、本実施の形態における各レイヤの相対移動の処理を示すフローチャートである。
【図８】  図８は、本実施の形態にかかる地図データ表示システムの画面上に表示された地図画像の例を示す図である。
【図９】  図９は、本実施の形態にかかる地図データ表示システムの地図の縮尺変更の処理を示すフローチャートである。
【図１０】  図１０は、本実施の形態にかかる地図データ表示システムの画面上に表示された地図画像の他の例を示す図である。
【図１１】  図１１は、第２の実施の形態にかかるレイヤ構成を示す図である。
【符号の説明】
１０    地図データ表示システム
１２    ＣＰＵ
１４    ＲＡＭ
１６    ＲＯＭ
１８    ＣD−ROMドライバ
２０    ハードディスク装置
２２    入力装置
２４    表示装置
２６    プリンタ
【図１】
0004080772.tif 000002
【図２】
0004080772.tif 000003
【図３】
0004080772.tif 000004
【図４】
0004080772.tif 000005
【図５】
0004080772.tif 000006
【図６】
0004080772.tif 000007
【図７】
0004080772.tif 000008
【図８】
0004080772.tif 000009
【図９】
0004080772.tif 000010
【図１０】
0004080772.tif 000011
【図１１】
0004080772.tif 000012